(57)【要約】【課題】  ２つの広告が表示できるようにする広告装置において、各広告フラップの前面と裏面に表示された広告内容をより正確に伝えることができ、且つ各広告フラップを始めとする部品の汚れを抑え、広告装置の全体の美麗さが改善できるようにした広告面が切換えられる広告装置を提供すること。【解決手段】  フレーム１０に前後方向に回転自在にヒンジ結合される複数の広告フラップ２０の各ヒンジ軸２１にピニオン２２が軸支され、各ピニオン２２が左右方向に移送する移送ラック３０に噛み合って、移送ラック３０の移動方向によって各広告フラップ２０の前面又は裏面が外部に露出されるようにする広告面が切換えられる広告装置を構成するにおいて、各広告フラップ２０をその平面形状が二等辺三角形になるように構成し、その下辺側に設けられる回動保持部２３の前方及び後方に受け段付部２４を設けたことを特徴とする。【選択図】        図１
2005173521.tif 000002
【特許請求の範囲】
【請求項１】
フレーム１０に前後方向に回転自在にヒンジ結合される複数の広告フラップ２０の各ヒンジ軸２１にピニオン２２が軸支され、各ピニオン２２が左右方向に移送する移送ラック３０に噛み合って、移送ラック３０の移動方向によって各広告フラップ２０の前面又は裏面が外部に露出されるようにする広告装置であって、前記各広告フラップ２０をその平面形状が二等辺三角形になるように構成し、その下辺側に設けられる回動保持部２３の前方及び後方に受け段付部２４を設けたことを特徴とする広告面が切換えられる広告装置。
【請求項２】
上記移送ラック３０を重量体の棒状に構成し、一方又は他方への移動が完了した移送ラック３０と切換完了した広告フラップ２０の遊動を防止するために移送ラック３０の両端に移動磁石３１を設けると共に、フレーム１０の内部の上端両側に移動磁石３１に対応する固定磁石１１を設けたことを特徴とする請求項１に記載の広告面が切換えられる広告装置。
【請求項３】
上記各広告フラップ２０の上端に設けられる広告フラップの上部保持棒体４０に広告フラップ２０のヒンジ軸２１が貫通するスラスト軸受５０を設け、移送ラック３０の下端には多数の転がり軸受６０を設けたことを特徴とする請求項１又は２に記載の広告面が切換えられる広告装置。
【請求項４】
上記移送ラック３０をチェーン状に構成すると共に、移送ラック３０の一方に正逆転駆動モーター８０の駆動ピニオン８２を噛み合わせ、別の制御回路にて正逆転駆動モーター８０の駆動を制御することにより各広告フラップ２０の前面による広告と各広告フラップ２０の裏面による広告が周期的に繰り返されるようにしたことを特徴とする請求項１に記載の広告面が切換えられる広告装置。
【請求項５】
上記フレーム１０の内部の前面に固定広告板９０を設け、各広告フラップ２０が直立した状態で固定広告板９０による広告が行われるようにしたことを特徴とする請求項４に記載の広告面が切換えられる広告装置。
【発明の詳細な説明】
【技術分野】
【０００１】
本発明は、広告面が切換えられる広告装置に関し、より詳しくは、前後方向に回転自在に設けられる多数の広告フラップの前面と裏面により、２つの広告が表示できるようにした広告装置に関するものである。
【背景技術】
【０００２】
一般に、壁面に据え付けられる広告板は、全体が１つの板状からなり、広告内容が表示された前面だけが外部に露出するように設けられることが普通である。そのため、かかる広告板は、１つの広告しか表示できず、２つの広告を表示するためには、もう１つの広告板を必要とする。
【０００３】
そこで、本件出願人は、先にフレームの前後方向に回転自在にヒンジ結合される複数の広告フラップのヒンジ軸に間欠歯車を軸支し、各間欠歯車にフレキシブルラックを噛み合わせて、フレキシブルラックの移動方向によって各広告フラップの前面又は裏面が外部に露出するようにする広告装置を提案した（特許文献１）。
【０００４】
この特許文献１に開示された広告装置は、フレキシブルラックが一方向に移動すると、各広告フラップの前面に表示された広告内容が外部に露出し、フレキシブルラックが他方に移動すると、各広告フラップが１８０°回転することで各広告フラップの裏面に表示された広告内容が外部に露出する。そのため、各広告フラップの前面と裏面を選択的に外部に露出することで、２つの広告が表示できるものであった。
【０００５】
【特許文献１】韓国特許第３２４４３０号公報
【発明の開示】
【発明が解決しようとする課題】
【０００６】
しかしながら、上記した特許文献１に開示された広告装置にあっては、回転が完了した状態で各広告フラップが傾斜して立てられるため、各広告フラップの間に空間が生じ、広告内容が確実に表示できなくなるのみならず、壁面側に異物が進入し易くなるため、各広告フラップ及び壁面の内部が汚れ易いという不具合があった。
【０００７】
本発明は、前記のような従来の問題点に鑑みてなされたものであって、その目的は、フレームに多数の広告フラップが前後方向に回転自在に設けられ、各広告フラップの前面と裏面により２つの広告が表示できるようにする広告装置において、各広告フラップが水平と垂直に精度よく作動可能にすることにより各広告フラップの前面と裏面に表示された広告内容をより正確に伝えることができ、且つ各広告フラップの間に空間が生じないようにすることにより各広告フラップを始めとする部品の汚れを抑え、広告装置の全体の美麗さが改善できるようにした広告面が切換えられる広告装置を提供することである。
【課題を解決するための手段】
【０００８】
本発明は、前記のような目的を達成するため、広告フラップの平面形状を二等辺三角形に構成し、下辺側に設けられる回動保持部の前面と裏面に受け段付部を設けることを特徴とする。
【発明の効果】
【０００９】
上記した本発明にかかる広告装置は、各広告フラップをその平面形状が二等辺三角形になるように構成し、その下辺側に設けられる回動保持部の前方及び後方に受け段付部を設けたものであって、本発明によると、各広告フラップの前面の広告内容を表示する時、又は各広告フラップの裏面の広告内容を表示する時、各広告フラップの先端部が受け段付部で支えられた状態でより安定して支えることができるのみならず、精度のよい水平状態と垂直状態が保持でき、且つ各広告フラップの間に隙間が生じないため、フレームの内部に挨や異物等が入ることを防止することができ、フレーム内部の部品を保護することができるのみならず、見かけ上の美麗さを保ち、広告装置の耐久性と商品性を大きく向上することができる等の効果を奏する。
【発明を実施するための最良の形態】
【００１０】
以下、上記した本発明にかかる広告装置の具体的な技術内容を、添付した図面に基づいてより詳細に説明する。
【００１１】
図１乃至図４ｂには、本発明の一実施例が示されており、図５乃至図７ｃには、本発明の他の実施例が示されている。
【００１２】
図示したように、本発明にかかる広告装置は、フレーム１０に前後方向に回転自在にヒンジ結合される複数の広告フラップ２０の各ヒンジ軸２１にピニオン２２が軸支され、各ピニオン２２が左右方向に移送する移送ラック３０に噛み合って、移送ラック３０の移動方向によって各広告フラップ２０の前面又は裏面が外部に露出されるようにする広告装置を構成するにおいて、前記各広告フラップ２０をその平面形状が二等辺三角形になるように構成し、その下辺側に設けられる回動保持部２３の前方及び後方に受け段付部２４を設けてなる。
【００１３】
図１乃至図４ｂに示した本発明の一実施例は、バスＢの側面に据え付けられ、慣性と空気抵抗により別の動力を要することなく自動で広告面が切換えられるようにしたものであって、この実施例においては、移送ラック３０を重量体の棒状に構成してより大きな慣性力が働くようにし、一方又は他方への移動が完了した移送ラック３０と切換完了した広告フラップ２０の遊動を防止するため、移送ラック３０の両端に移動磁石３１を設けると共に、フレーム１０の内部の上端両側に移動磁石３１に対応する固定磁石１１を設けた形態を有する。
【００１４】
また、この実施例においては、各広告フラップ２０の上端に設けられる広告フラップの上部保持棒体４０に広告フラップ２０のヒンジ軸２１が貫通するスラスト軸受５０を設け、移送ラック３０の下端には多数の転がり軸受６０を設けた形態を有する。
【００１５】
そして、この実施例の広告装置は、図４ａ及び図４ｂに示すようにバスＢの側面に装着した場合、走行中のバスＢが止まる時の慣性力及び空気抵抗により図３ａに示すように後方に位置していた重量体の移送ラック３０が前方に移動すると、各広告フラップ２０が時計回りに１８０°回転することで図２ｂ、図３ｂ、図４ｂに示すように各広告フラップ２０の裏面による広告が行われ、バスＢが出発する時の慣性力及び空気抵抗により前方に位置していた移送ラック３０が後方に移動すると、各広告フラップ２０が反時計回りに１８０°回転することで図２ａ、図３ａ、図４ａに示すように各広告フラップ２０の前面により広告が行われるようになる。
【００１６】
一方、図５乃至図７ｃに示すような本発明の他の実施例は、建物の壁面やその他の固定壁面に据え付けられる形態のものであって、この他の実施例においては、移送ラック３０をゴム等の柔軟な材質を使用してチェーン状に構成すると共に、移送ラック３０の一方に正逆転駆動モーター８０の駆動ピニオン８２を噛み合わせ、フレーム１０の内部の前面に固定広告板９０を設け、別の制御回路（図示せず）にて正逆転駆動モーター８０の駆動を制御することにより、図６ａ及び図７ａ、図６ｂ及び図７ｂ、図６ｃ及び図７ｃに示すように各広告フラップ２０の前面による広告と固定広告板９０による広告、そして各広告フラップ２０の裏面による広告が周期的に繰り返されるようにした形態を有する。
【００１７】
即ち、この他の実施例では、図６ａ及び図７ａに示すように、各広告フラップ２０の前面による広告が行われている状態から正逆転駆動モーター８０にて各広告フラップ２０を時計回りに９０°回転させると、図６ｂ及び図７ｂに示すように各広告フラップ２０が直立した状態を保持することでフレーム１０の内部の前面に設けた固定広告板９０による広告を行うことができ、図６ｂ及び図７ｂに示す状態から各広告フラップ２０を時計回りに９０°回転させると、図６ｃ及び図７ｃに示すように各広告フラップ２０が水平に倒れることで各広告フラップ２０の裏面による広告を行うことができるようになる。
【００１８】
そして、図６ｃ及び図７ｃに示すような各広告フラップ２０の裏面による広告が行われている状態から正逆転駆動モーター８０にて各広告フラップ２０を反時計回りに９０°回転させると、再び図６ｂ及び図７ｂに示すように固定広告板９０による広告を行うことができ、図６ｂ及び図７ｂに示す状態から各広告フラップ２０を反時計回りに９０°回転させると、図６ａ及び図７ａに示すように各広告フラップ２０の前面による広告を行うことができるようになる。
【図面の簡単な説明】
【００１９】
【図１】本発明の一実施例の要部斜視図である。
【図２ａ】図１に示した実施例の各広告フラップの前面により広告が行われる状態の一部切欠正面図である。
【図２ｂ】図１に示した実施例の各広告フラップの裏面により広告が行われる状態の一部切欠正面図である。
【図３ａ】図１に示した実施例の各広告フラップの前面により広告が行われる状態の平面図である。
【図３ｂ】図１に示した実施例の各広告フラップの裏面により広告が行われる状態の平面図である。
【図４ａ】図１に示した実施例が装着されたバスの各広告フラップの前面により広告が行われる状態の側面図である。
【図４ｂ】図１に示した実施例が装着されたバスの各広告フラップの裏面により広告が行われる状態の側面図である。
【図５】本発明の他の実施例の要部斜視図である。
【図６ａ】図５に示した実施例の各広告フラップの前面により広告が行われる状態の一部切欠正面図である。
【図６ｂ】図５に示した実施例の内部広告板により広告が行われる状態の一部切欠正面図である。
【図６ｃ】図５に示した実施例の各広告フラップの裏面により広告が行われる状態の一部切欠正面図である。
【図７ａ】図５に示した実施例の各広告フラップの前面により広告が行われる状態の平面図である。
【図７ｂ】図５に示した実施例の内部広告板により広告が行われる状態の平面図である。
【図７ｃ】図５に示した実施例の各広告フラップの裏面により広告が行われる状態の平面図である。
【符号の説明】
【００２０】
１０    フレーム
１１    固定磁石
２０    広告フラップ
２１    ヒンジ軸
２２    ピニオン
２３    回動保持部
２４    受け段付部
３０    移送ラック
３１    移動磁石
４０    広告フラップの上部保持棒体
５０    スラスト軸受
６０    転がり軸受
８０    正逆転駆動モーター
８２    駆動ピニオン
９０    固定広告板
【図１】
2005173521.tif 000003
【図２ａ】
2005173521.tif 000004
【図２ｂ】
2005173521.tif 000005
【図３ａ】
2005173521.tif 000006
【図３ｂ】
2005173521.tif 000007
【図４ａ】
2005173521.tif 000008
【図４ｂ】
2005173521.tif 000009
【図５】
2005173521.tif 000010
【図６ａ】
2005173521.tif 000011
【図６ｂ】
2005173521.tif 000012
【図６ｃ】
2005173521.tif 000013
【図７ａ】
2005173521.tif 000014
【図７ｂ】
2005173521.tif 000015
【図７ｃ】
2005173521.tif 000016